(57)【要約】【課題】落下などによる衝撃が作用した場合に光ピックアップの破損が生じにくく、かつ、小型化に適した光ピックアップ移送機構を提供する。【解決手段】光ピックアップ移送機構は、トラバースシャーシに配設され、光ピックアップをディスクの半径方向に案内するガイドシャフトと、トラバースシャーシに設けられた螺合部に螺合し、ガイドシャフトの端部近傍を押圧する調整ねじと、ガイドシャフトを調整ねじに向けて付勢するねじりコイルばねであって、ガイドシャフトに巻き回されたコイル部と、当該コイル部の両側から延在する長さの異なる第１および第２のばね脚部とを有するものと、トラバースシャーシに設けられ、ねじりコイルばねの第１および第２のばね脚部に係合する第１および第２の係止部とを備える。第１および第２の係止部は、いずれも、トラバースシャーシにおいて、ガイドシャフトの光ピックアップとは反対側に設けられている。【選択図】図１
2011141938.tif 000002
【特許請求の範囲】
【請求項１】
トラバースシャーシに配設され、光ピックアップをディスクの半径方向に案内するガイドシャフトと、
前記トラバースシャーシに設けられた螺合部に螺合し、前記ガイドシャフトの端部近傍を押圧する調整ねじと、
前記ガイドシャフトを、前記調整ねじに向けて付勢するねじりコイルばねであって、ガイドシャフトに巻き回されたコイル部と、当該コイル部の両側から延在する長さの異なる第１のばね脚部と第２のばね脚部とを有するねじりコイルばねと、
前記トラバースシャーシに設けられ、前記ねじりコイルばねの前記第１のばね脚部および前記第２のばね脚部に係合する第１の係止部および第２の係止部と
を備え、
前記第１の係止部および前記第２の係止部は、いずれも、前記トラバースシャーシにおいて、前記ガイドシャフトの前記光ピックアップとは反対側に設けられていること
を特徴とする光ピックアップ移送機構。
【請求項２】
前記ねじりコイルばねの前記第１のばね脚部および前記第２のばね脚部が、前記第１の係止部および前記第２の係止部を押圧する方向が、互いに略１８０°異なることを特徴とする請求項１に記載の光ピックアップ移送機構。
【請求項３】
前記ねじりコイルばねの前記第１のばね脚部は、前記第２のばね脚部の２倍以上の長さを有することを特徴とする請求項１または２に記載の光ピックアップ移送装置。
【請求項４】
前記調整ねじのねじ頭により、前記ガイドシャフトを、前記トラバースシャーシの平板部に向けて押圧することを特徴とする請求項１から３までの何れか１項に記載の光ピックアップ移送機構。
【請求項５】
前記調整ねじのねじ部の先端面により、前記ガイドシャフトを、前記トラバースシャーシの平板部に向けて押圧することを特徴とする請求項１から３までの何れか１項に記載の光ピックアップ移送機構。
【請求項６】
前記第１の係止部および前記第２の係止部の一方は、前記トラバースシャーシの平板部の前記ガイドシャフト側の面に設けられ、他方は、前記トラバースシャーシの前記面からさらに前記ガイドシャフト側に離間した位置に設けられていることを特徴とする請求項１から５までの何れか１項に記載の光ピックアップ移送機構。
【請求項７】
一対の前記ガイドシャフトが、互いに平行に配設されており、
前記一対のガイドシャフトのそれぞれの両端部に、前記ねじりコイルばねおよび前記調整ねじが設けられていること
を特徴とする請求項１から６までの何れか１項に記載の光ピックアップ移送機構。
【請求項８】
請求項１から７までの何れか１項に記載の光ピックアップ移送機構を備えたことを特徴とする光ディスク装置。
【発明の詳細な説明】
【技術分野】
【０００１】
本発明は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などの光ディスク装置に用いられる光ピックアップ移送機構に関し、特に、光ピックアップをディスクの半径方向に案内するガイドシャフトの取付け構造に関する。
【背景技術】
【０００２】
光ディスク装置は、ＣＤやＤＶＤなどのディスクに対して情報の記録または再生を行う際に、ターンテーブルに保持されたディスクの半径方向に光ピックアップを移送する光ピックアップ移送機構を備えている。光ピックアップ移送機構は、動力源であるモータと、当該モータに取り付けられたスクリューと、光ピックアップをディスクの半径方向に案内するガイドシャフトとを有し、これらはトラバースシャーシに取り付けられている。ガイドシャフトは、トラバースシャーシにおいて、ターンテーブルの近傍（ディスクの内周側）から、ディスクの外周側にかけて延在している。
【０００３】
従来より、光ピックアップの光軸をディスクの記録再生面に対して直交させるために、トラバースシャーシに対するガイドシャフトの両端部の高さを調整可能としたガイドシャフトの取付け構造が採用されている。
【０００４】
このようなガイドシャフトの取付け構造としては、トラバースシャーシに設けたねじ穴に調整ねじを螺合させ、当該調整ねじのねじ頭でガイドシャフトの端部をトラバースシャーシの平板部に向けて押圧するものが一般的である。また、調整ねじとガイドシャフトとの当接状態を確保するため、ガイドシャフトを調整ねじに向けて付勢するねじりコイルばねが設けられている。ねじりコイルばねは、螺旋状に巻き回されたコイル部と、その両端から延在する一対のばね脚部とを有しており、コイル部は、ガイドシャフトの端部近傍に巻き回されている。ねじりコイルばねの一対のばね脚部は、トラバースシャーシにおいて、ガイドシャフトの光ピックアップ側およびその反対側にそれぞれ設けられた係止部に係合している（例えば、特許文献１参照）。
【先行技術文献】
【特許文献】
【０００５】
【特許文献１】特開２００５−３３２５３１号公報（段落００２０〜００２７、図４）
【発明の概要】
【発明が解決しようとする課題】
【０００６】
しかしながら、上述した従来の光ピックアップ移送機構では、ねじりコイルばねの一方のばね脚部がガイドシャフトの光ピックアップ側にある。そのため、ガイドシャフトのディスク外周側（ターンテーブルから遠い側）の端部近傍のねじりコイルばねは、光ピックアップの移動範囲と干渉しないよう、さらにディスク半径方向外側に配置する必要がある。そのため、ガイドシャフトを、光ピックアップを案内するために必要な長さよりも長くしなければならず、その結果、落下などによる衝撃が作用した場合に、光ピックアップの慣性力によりガイドシャフトの変形（湾曲）が生じ易い。また、ガイドシャフトの長さが長いほど変形量が増大するため、落下などに際して光ピックアップに大きな衝撃が作用し、光ピックアップの破損を招く可能性がある。また、トラバースシャーシの寸法が、ガイドシャフトの長手方向に大きくなるため、当該方向における光ディスク装置の小型化が難しい。
【０００７】
本発明は、以上のような課題を解決するためになされたものであり、落下などによる衝撃が作用しても光ピックアップが破損しにくく、かつ、小型化に適した光ピックアップ移送機構および光ディスク装置を提供することを目的とする。
【課題を解決するための手段】
【０００８】
本発明に係る光ピックアップ移送機構は、トラバースシャーシに配設され、光ピックアップをディスクの半径方向に案内するガイドシャフトと、トラバースシャーシに設けられた螺合部に螺合し、ガイドシャフトの端部近傍を押圧する調整ねじと、ガイドシャフトを、調整ねじに向けて付勢するねじりコイルばねであって、ガイドシャフトに巻き回されたコイル部と、当該コイル部の両側から延在する長さの異なる第１のばね脚部と第２のばね脚部とを有するねじりコイルばねと、トラバースシャーシに設けられ、ねじりコイルばねの第１のばね脚部および第２のばね脚部に係合する第１の係止部および第２の係止部とを備える。第１の係止部および第２の係止部は、いずれも、トラバースシャーシにおいて、ガイドシャフトの光ピックアップとは反対側に設けられている。
【発明の効果】
【０００９】
本発明によれば、ガイドシャフトを付勢するねじりコイルばねの第１及び第２のばね脚部が、いずれもガイドシャフトの光ピックアップとは反対側に設けられた第１及び第２の係止部に係合するため、ばね脚部と光ピックアップとの干渉が生じることがない。そのため、特にガイドシャフトのディスク外周側の端部近傍のねじりコイルばねを、よりディスク半径方向内側に配置することが可能になり、これによりガイドシャフトの長さを短くすることができる。その結果、落下などによる衝撃が作用した場合のガイドシャフトの変形を抑制することができ、光ピックアップに作用する衝撃を軽減して、光ピックアップの破損を抑制することができる。また、ガイドシャフトの長さを短くすることができるため、光ピックアップ移送機構の奥行き寸法（ガイドシャフトの長さ方向の寸法）を短くすることができ、光ディスク装置の小型化を実現することができる。
【図面の簡単な説明】
【００１０】
【図１】本発明の実施の形態１における光ディスク装置のトラバースユニットを裏面側から見た斜視図である。
【図２】本発明の実施の形態１における光ディスク装置のトラバースユニットを表面側から見た斜視図である。
【図３】本発明の実施の形態１におけるガイドシャフトの取付け構造の要部を示す斜視図である。
【図４】本発明の実施の形態１におけるガイドシャフトを付勢するねじりコイルばねの付勢力を説明するための模式図である。
【図５】本発明の実施の形態１におけるトラバースユニットを裏面側から見た底面図であり、光ピックアップがディスクの最外周位置にある状態を示す図である。
【図６】本発明の実施の形態２におけるトラバースユニットを表面側から見た斜視図である。
【図７】本発明の実施の形態２におけるトラバースユニットを裏面側から見た斜視図である。
【図８】本発明の実施の形態２におけるガイドシャフトの取付け構造の要部を示す斜視図である。
【発明を実施するための形態】
【００１１】
以下、本発明の各実施の形態について、図面を参照して説明する。
【００１２】
実施の形態１．
図１は、本発明の実施の形態１における光ピックアップ移送機構が組み込まれた光ディスク装置のトラバースユニット１００を裏面側から見た斜視図である。図２は、このトラバースユニット１００を表面側（すなわちディスク側）から見た斜視図である。図３は、光ピックアップ移送機構のガイドシャフトの取付け構造の要部を示す斜視図である。
【００１３】
光ピックアップ装置は、ディスク（ＣＤ，ＤＶＤなど）の任意の位置に情報を記録し、またはディスクの任意の位置の情報を再生する光ディスク装置のトラバースユニット１００に組み込まれている。まず、トラバースユニット１００の構成について、図１と図２を参照して説明する。
【００１４】
トラバースユニット１００は、その基体をなすトラバースシャーシ１を有している。トラバースシャーシ１は、ディスクに対向する略長方形状の平板部１２と、その周囲を囲む外周壁１３とを有しており、全体が板金で形成されている。また、平板部１２の中央部には、後述する光ピックアップ４の移動範囲に対応した略長方形状の開口部１４が形成されている。
【００１５】
トラバースシャーシ１の開口部１４の各長辺に沿って、トラバースシャーシ１の長手方向に延在する一対のガイドシャフト２，３が互いに平行に配設されている。ガイドシャフト２，３は、それぞれの両端部近傍において、後述する調整ねじ５およびねじりコイルばね６を介して、トラバースシャーシ１に取り付けられている。ガイドシャフト２，３には、図示しない対物レンズ、光源、光学系および各センサなどを搭載した光ピックアップ４が、ディスクの半径方向に移動可能に支持されている。光ピックアップ４は、ガイドシャフト２に摺動可能に係合する被案内部４ａ，４ｂと、ガイドシャフト３に摺動可能に係合する被案内部４ｃとを有している。
【００１６】
トラバースシャーシ１の幅方向における一方の端部近傍（より具体的には、ガイドシャフト２の外側）に、光ピックアップ４をディスクの半径方向に移送するための駆動力を発生するフィードモータ１１が配設されている。フィードモータ１１の回転軸にはスクリュー１１ａ（図２）が取り付けられており、このスクリュー１１ａには、光ピックアップ４の被案内部４ａ，４ｂの間に設けられた係合部材７（図２）が係合している。光ピックアップ４は、フィードモータ１１の回転方向に応じて、ディスクの半径方向、すなわち内周方向または外周方向に移送される。これらガイドシャフト２，３、係合部材７およびフィードモータ１１を含む、光ピックアップ４をディスクの半径方向に移送するための機構を、「光ピックアップ移送機構」と称する。
【００１７】
トラバースシャーシ１の長手方向における一方の端部近傍に、ディスクを回転させるターンテーブル１０ａ（図２）が配設されている。このターンテーブル１０ａは、ディスクを保持するためのチャック１０ｂを有しており、回転駆動力を発生するスピンドルモータ１０に取り付けられている。ディスクの任意の位置に情報を記録し、または情報を再生する際には、ディスクを保持したターンテーブル１０ａがスピンドルモータ１０により回転し、光ピックアップ４が、フィードモータ１１によりディスクの半径方向の所定位置に移動して、情報の記録または再生を行う。
【００１８】
トラバースシャーシ１を含むトラバースユニット１００は、光ディスク装置のメインシャーシ（図示せず）に取り付けられている。メインシャーシには、ディスクを搬入・排出するディスクトレイ（図示せず）が往復移動可能に設けられており、トラバースシャーシ１は、ディスクの搬送路に対して接近または退避できるように、例えばＸ方向の揺動軸を中心として揺動可能に支持されている。
【００１９】
なお、図１および図２において、ディスクの記録再生面に直交する方向、すなわちターンテーブル１０ａの回転軸方向を、Ｚ方向とする。このＺ方向に関し、ターンテーブル１０ａからディスクに向かう方向を、＋Ｚ方向（あるいは上方）とし、その反対方向を、−Ｚ方向（あるいは下方）とする。Ｚ方向と直交する面（ＸＹ面）において、トラバースシャーシ１の長手方向、すなわちガイドシャフト２，３の長手方向をＹ方向とし、トラバースシャーシ１の幅方向（Ｙ方向に直交する方向）をＸ方向とする。以下の説明では、このＸ方向、Ｙ方向およびＺ方向を用いて、各部品の構成や力の作用について説明する。
【００２０】
次に、ガイドシャフト２，３の取付け構造について説明する。
光ピックアップ移送機構では、光ピックアップ４の光軸をディスクの記録再生面に対して直交させるために、トラバースシャーシ１に対するガイドシャフト２，３の各端部の高さを、組み立て時に調整できるようにする必要がある。そこで、図１に示すように、ガイドシャフト２，３の各端部の近傍の合計４箇所に、調整ねじ５がそれぞれ設けられている。
【００２１】
４つの調整ねじ５のうち、２つの調整ねじ５は、ガイドシャフト２，３のターンテーブル１０に近い側の端部近傍に配設されており、残る２つの調整ねじ５は、ガイドシャフト２，３のディスク外周側（ターンテーブル１０から遠い側）の端部近傍に配設されている。また、各調整ねじ５は、ガイドシャフト２，３のＸ方向外側（光ピックアップ４と反対側）に配置されているが、ガイドシャフト２のターンテーブル１０側の調整ねじ５だけは、フィードモータ１１の配置との関係で、ガイドシャフト２のＸ方向内側（光ピックアップ４側）に配置されている。
【００２２】
調整ねじ５は、トラバースシャーシ１の平板部１２に形成されたねじ穴１５（螺合部）に螺合し、ガイドシャフト２，３をトラバースシャーシ１の平板部１２に向けて（すなわち＋Ｚ方向に）押圧するものである。また、調整ねじ５とガイドシャフト２，３との当接状態を確保するため、各調整ねじ５に対応して、ガイドシャフト２，３を調整ねじ５に向けて（すなわち−Ｚ方向に）付勢するねじりコイルばね６が設けられている。
【００２３】
なお、トラバースシャーシ１には、ガイドシャフト２，３の軸方向両端面に対向する位置に、位置規制片１２ａ，１２ｂが形成されており、また、各調整ねじ５との間でガイドシャフト２，３をそれぞれ挟み込む位置に、位置規制片１２ｃ，１２ｄが形成されている。これらの位置規制片１２ａ〜１２ｄは、ガイドシャフト２，３のＸ方向およびＹ方向の位置を規制するために、平板部１２の一部を切り起こすなどして形成されたものである。
【００２４】
次に、図３を参照して、ねじりコイルばね６および調整ねじ５について詳しく説明する。ねじりコイルばね６は、螺旋状に巻き回されたコイル部６ｃと、このコイル部６ｃの両端から直線状に延在するばね脚部６ａ，６ｂとを有している。コイル部６ｃは、ガイドシャフト２，３（図３ではガイドシャフト２）の各端部に巻き回されている。ばね脚部６ａ，６ｂは、互いに長さが異なり、長い方のばね脚部６ａ（第１のばね脚部）が、短い方のばね脚部６ｂ（第２のばね脚部）の例えば２倍以上の長さを有している。ばね脚部６ａ，６ｂは、それぞれトラバースシャーシ１に設けられた係止部１ａ，１ｂに係合している。
【００２５】
係止部１ａ（第１の係止部）は、トラバースシャーシ１の平板部１２から−Ｚ方向に離間した位置に形成されている。より具体的には、係止部１ａは、例えば、平板部１２の一部を切り起こした板状片１８に、Ｙ方向に突出する突出部１９を形成し、その先端から更に平板部１２に向けて＋Ｚ方向に突出する突出部２０を形成したものであり、ばね脚部６ａは、突出部１９に＋Ｚ側から当接すると共に、板状片１８と突出部２０とによりＹ方向の位置ずれが防止されている。なお、図１に示すように、ガイドシャフト３の各端部の近傍に設けられた係止部１ａは、トラバースシャーシ１の外周壁１３に形成された溝部として構成されている。この溝部においても、ばね脚部６ａは、＋Ｚ側から溝部の内壁に当接すると共に、Ｙ方向の位置ずれが防止されている。
【００２６】
一方、図３に示すように、係止部１ｂ（第２の係止部）は、トラバースシャーシ１の平板部１２の裏面（−Ｚ側の面）である。また、平板部１２において、係止部１ｂのＸ方向両側に、開口部１６，１７が形成されており、係止部１ｂに当接するばね脚部６ｂの角度（傾き）の変化を許容している。なお、開口部１７は、上述した開口部１４につながる切り欠きであってもよい。
【００２７】
係止部１ａ，１ｂは、いずれも、ガイドシャフト２，３（図３ではガイドシャフト２）に対して、光ピックアップ４とは反対の側（Ｘ方向外側）に配置されている。また、ガイドシャフト２から係止部１ａまでの距離は、ガイドシャフト２から係止部１ｂまでの距離よりも長い。ねじりコイルばね６のばね脚部６ａ，６ｂは、それぞれが係止部１ａ，１ｂに係合した状態で互いに略平行になり、トラバースシャーシ１の係止部１ａ，１ｂを互いに略１８０°異なる方向に押圧することが望ましい。
【００２８】
調整ねじ５は、トラバースシャーシ１の平板部１２に形成されたねじ穴１５（螺合部）に螺合している。調整ねじ５は、先端面に十字溝などが形成された円錐台形状のねじ頭５ａを有し、ねじ頭５ａの傾斜面がガイドシャフト２，３（図３ではガイドシャフト２）の外周面に当接し、これを＋Ｚ方向に付勢する。一方、ねじりコイルばね６の弾性力は、コイル部６ｃ内のガイドシャフト２，３に−Ｚ方向に作用し、これによりガイドシャフト２，３は調整ねじ５のねじ頭５ａに向けて付勢される。
【００２９】
図示しない治具（例えばプラスドライバ）により、調整ねじ５を回転操作すると、ねじりコイルばね６の弾性力（付勢力）に抗して、調整ねじ５のねじ頭５ａがガイドシャフト２を押圧し、ガイドシャフト２，３の端部のＺ方向位置が調整される。合計４箇所の調整ねじ５を操作することにより、ガイドシャフト２，３の各端部の高さが調整され、ガイドシャフト２，３に支持される光ピックアップ４の光軸（すなわち、光ピックアップ４に搭載された対物レンズの光軸）が調整される。
【００３０】
ここで、ガイドシャフト２，３に作用するねじりコイルばね６の付勢力について説明する。図４は、ガイドシャフト２と係止部１ａ，１ｂに作用する付勢力を示す概略図である。なお、もう一方のガイドシャフト３と係止部１ａ，１ｂに作用する付勢力は、Ｘ方向において図４と対称になる。図４において、ねじりコイルばね６の長さの異なるばね脚部６ａ，６ｂのうち、長い方のばね脚部６ａは、小さい力Ｆ１で係止部１ａを押圧し、短い方のばね脚部６ｂは、大きな力Ｆ２で係止部１ｂを押圧する。ねじりコイルばね６のコイル部６ｃが、これらの力の差分であるＦＳ（＝Ｆ２−Ｆ１）でガイドシャフト２，３を−Ｚ方向に付勢することにより、静的な釣り合い状態が得られる。つまり、ガイドシャフト２，３は、ばね脚部６ａ，６ｂがトラバースシャーシ１の係止部１ａ，１ｂを押圧する力の差分の力で付勢される。そのため、ガイドシャフト２，３に対する付勢力を効率良く得るには、ばね脚部６ａ，６ｂが係止部１ａ，１ｂを押圧する方向が反対方向である（略１８０°異なる）ことが望ましく、また、ばね脚部６ａ，６ｂの長さが大きく異なることが望ましい。
【００３１】
一般の光ピックアップ移送機構では、ガイドシャフト２，３の各端部が１００ｇｆ程度の力で付勢されている。これは、振動下でディスクに対する記録または再生を行う際に、光ピックアップ４やガイドシャフト２，３の重量により（ねじりコイルばね６の弾性変形が生じて）ガイドシャフト２，３が変位しないようにするために必要な付勢力である。また、一般の光ピックアップ移送機構では、直径が３ｍｍのガイドシャフトを用いているため、ねじりコイルばね６のコイル部６ｃの内径を３ｍｍより大きくする必要がある。また、作業性の点で、取付け前と取付け時のばね脚部６ａ，６ｂの間の角度はいずれも９０°以下であることが望ましく、更に、ばね脚部６ａ，６ｂが係止部１ａ，１ｂを押圧する方向の（取付け状態による）変化を小さく抑えるためには、短い方のばね脚部６ｂの長さを５ｍｍ程度に設定する必要がある。このような条件下でねじりコイルばね６を設計すると、コイルバネ６の線径は０．５ｍｍ、長い方のばね脚部６ａの長さは約１０ｍｍ、短い方のばね脚部６ｂの長さは約５ｍｍ、Ｆ１＝１００ｇｆ、Ｆ２＝２００ｇｆ、ＦＳ（＝Ｆ２−Ｆ１）＝１００ｇｆであることが望ましい。つまり、ねじりコイルばね６をコンパクトに設計しようとする場合、１００ｇｆの付勢力を得るには、長い側のばね脚部６ａの長さＬ１と短い側のばね脚部６ｂの長さＬ２の比（＝Ｌ１／Ｌ２）を２以上に設定することが望ましい。
【００３２】
また、一般の光ピックアップ移送機構では、長さが１１０ｍｍ程度のガイドシャフトを用いているが、この実施の形態１では、長さが８０ｍｍのガイドシャフト２，３を用いている。すなわち、この実施の形態１では、ねじりコイルばね６のばね脚部６ａ，６ｂを、ガイドシャフト２，３に対して光ピックアップ４とは反対側に配設されたトラバースシャーシ１の係止部１ａ，１ｂに係合させているため、移動する光ピックアップ４とばね脚部とが干渉することがなく、その結果、一般の光ピックアップ移送機構よりも短いガイドシャフト２，３を用いることが可能になったものである。このようにガイドシャフト２，３の長さを短くできるため、光ディスク装置のＹ方向（ガイドシャフト２，３の長さ方向）の寸法を短くすることができ、更に部品コストを低減することもできる。
【００３３】
次に、図５を参照して、ガイドシャフト２，３の長さを短くすることができる理由について説明する。図５は、トラバースユニット１００を裏面側から見た平面図であり、光ピックアップ４がディスクの最も外周側の位置（最外周位置）にある状態を示している。一般に、光ピックアップ４の本体部は、被案内部４ｂよりもディスクの外周側（図５における＋Ｙ側）に位置している。被案内部４ｂよりもディスクの外周側の領域では、図５に符号Ｒで示すように、光ピックアップ４の本体部の側面とガイドシャフト２との間には、２ｍｍ程度の狭い隙間しかない。従って、各ねじりコイルばね６の一方のばね脚部をガイドシャフト２，３の光ピックアップ４側の係止部に係合させている一般の光ピックアップ移送機構では、ガイドシャフト２，３のディスク外周側（ターンテーブル１０から遠い側）の端部近傍のねじりコイルばね６を、光ピックアップ４の移動範囲と干渉しないよう、さらにディスク半径方向外側（＋Ｙ側）に配置する必要がある。
【００３４】
これに対し、本発明の実施の形態１では、各ねじりコイルばね６のばね脚部６ａ，６ｂを、ガイドシャフト２，３に対して光ピックアップ４とは反対側（Ｘ方向外側）に配設された係止部１ａ，１ｂに係合させているため、ねじりコイルばね６のばね脚部が光ピックアップ４と干渉することがなく、その結果、図５に示すように、ガイドシャフト２，３のディスク外周側（ターンテーブル１０から遠い側）の端部近傍のねじりコイルばね６を、よりディスク半径方向内側（より詳細には、光ピックアップ４がその移動範囲のディスクの外周側の端部にあるときの被案内部４ｂに近接した位置）に配設することが可能になる。これにより、ガイドシャフト２，３の長さを、一般の光ピックアップ移送機構のガイドシャフトよりも３０ｍｍ程度短くすることができる。
【００３５】
また、落下などによる衝撃が光ピックアップ移送機構に作用した場合には、光ピックアップ４の慣性力によりガイドシャフト２，３の変形（湾曲）が生じる可能性がある。このときの変形量はガイドシャフト２，３の長さが長いほど増大し、この変形量に応じて（ガイドシャフト２，３に支持された）光ピックアップ４に作用する衝撃も増大する。この実施の形態１では、ガイドシャフト２，３の長さが一般の光ピックアップ移送機構のガイドシャフトよりも３０ｍｍ程度短いため、光ピックアップ４に作用する衝撃も大幅に軽減される。すなわち、落下などによる衝撃が作用した場合の光ピックアップ４の破損を抑制することができる。
【００３６】
また、一般の光ディスク装置において、ねじりコイルばねを用いているものもあるが、ガイドシャフトに対するねじりコイルばねの保持が不十分な場合には、落下などによる衝撃が作用した際に、ねじりコイルばねがガイドシャフトから脱落する可能性がある。しかしながら、この実施の形態１では、ねじりコイルばね６のコイル部６ｃがガイドシャフト２，３の周囲に巻き回されているため、コイル部６ｃがガイドシャフト２，３に確実に保持され、これにより、コイルばね６の脱落が防止される。
【００３７】
実施の形態２．
上述した実施の形態１に係る光ピックアップ移送機構では、調整ねじ５のねじ頭５ａ（図３）でガイドシャフト２，３を押圧して高さを調整していた。これに対し、実施の形態２に係る光ピックアップ移送機構は、調整ねじ５のねじ部の先端面でガイドシャフト２，３を押圧して高さを調整するものである。
【００３８】
図６は、本発明の実施の形態２における光ピックアップ移送機構が組み込まれたトラバースユニット１００を表面側（ディスク側）から見た斜視図である。図７は、このトラバースユニット１００を裏面側から見た斜視図である。図８は、光ピックアップ移送機構のガイドシャフトの取付け構造の要部を示す斜視図である。各図において、実施の形態１と対応する構成要素には同一の符号を付す。また、各図に示したＸ方向、Ｙ方向、Ｚ方向は、実施の形態１と同様である。
【００３９】
上述した実施の形態１では、光ピックアップ移送機構を構成するガイドシャフト２，３やフィードモータ１１が、トラバースシャーシ１の平板部１２に対して−Ｚ側に配設されていたのに対し、この実施の形態２では、ガイドシャフト２，３およびフィードモータ１１は、トラバースシャーシ１の平板部１２に対して＋Ｚ側に配設されている。また、平板部１２の中央部には、開口部１４の−Ｚ側を覆うように、カバー２１（図７）が形成されている。ガイドシャフト２，３の高さ調整は、ディスクを回転させた状態で行うため、この実施の形態２のように、ガイドシャフト２，３がトラバースシャーシ１の平板部１２に対して＋Ｚ側に配設されている方が、−Ｚ側からドライバなどによる調整作業を行うことができる点で好ましい。
【００４０】
そのため、上述した実施の形態１では、調整ねじ５のねじ頭５ａをガイドシャフト２，３に−Ｚ側から当接させていたが、この実施の形態２においては、図８に示すように、調整ねじ５のねじ部の先端面を、ガイドシャフト２，３（図８ではガイドシャフト２）に−Ｚ側から当接させている。調整ねじ５がガイドシャフト２，３を＋Ｚ方向に押圧する点は、実施の形態１と同様である。
【００４１】
図８に示すように、ねじりコイルばね６のコイル部６ｃは、ガイドシャフト２，３の各端部に巻き回され、ばね脚部６ａ，６ｂは、ガイドシャフト２，３に対して光ピックアップ４とは反対の側（Ｘ方向外側）に配設されたトラバースシャーシ１の係止部１ａ，１ｂに係合している。
【００４２】
なお、この実施の形態２では、長い方のばね脚部６ａに係合する係止部１ａは、トラバースシャーシ１の平板部１２の表面（＋Ｚ側の面）である。また、短い方のばね脚部６ｂに係合する係止部１ｂは、トラバースシャーシ１の平板部１２から＋Ｚ方向に離間した位置に形成されている。ガイドシャフト２，３から係止部１ａまでの距離は、ガイドシャフト２，３から係止部１ｂまでの距離よりも大きい。他の構成要素は、実施の形態１と同様に構成されている。
【００４３】
このように構成された光ピックアップ移送機構では、ガイドシャフト２，３を付勢するねじりコイルばね６の両ばね脚部６ａ，６ｂが、いずれも、ガイドシャフト２，３の光ピックアップ４とは反対側に設けられたトラバースシャーシ１の係止部１ａ，１ｂに係合するため、実施の形態１と同様、ねじりコイルばね６のばね脚部が光ピックアップ４と干渉することがなく、その結果、ガイドシャフト２，３のディスク外周側（ターンテーブル１０から遠い側）の端部近傍のねじりコイルばね６を、よりディスク半径方向内側に配設することが可能になる。これにより、ガイドシャフト２，３の長さを、一般の光ピックアップ移送機構のガイドシャフトよりも短くすることができる。
【００４４】
また、ガイドシャフト２，３の長さを短くすることで、落下などによる衝撃が作用した場合のガイドシャフト２，３の変形を小さく抑えることができ、光ピックアップに作用する衝撃も大幅に軽減されるため、光ピックアップ４の破損を抑制することができる。また、ねじりコイルばね６のコイル部６ｃがガイドシャフト２，３の周囲に巻き回されているため、落下などによる衝撃が作用した際のねじりコイルばね６の脱落が防止される。
【００４５】
なお、上述した実施の形態では、ディスクの例として、ＣＤ，ＤＶＤについて説明したが、他の種類のディスクを用いてもよいことは言うまでもない。また、上述した光ピックアップ移送機構を備えた光ディスク装置は、記録および再生の両方を行うものでもよく、あるいは記録または再生のみを行うものでもよい。
【符号の説明】
【００４６】
１  トラバースシャーシ、  １ａ  係止部（第１の係止部）、  １ｂ  係止部（第２の係止部）、  ２  ガイドシャフト、  ３  ガイドシャフト、  ４  光ピックアップ、  ４ａ，４ｂ，４ｃ  被案内部、  ５  調整ねじ、  ６  ねじりコイルばね、  ６ａ  ばね脚部（第１のばね脚部）、  ６ｂ  ばね脚部（第２のばね脚部）、  ６ｃ  コイル部、  ７  係合部材、  １０  スピンドルモータ、  １１  フィードモータ、  １１ａ  スクリュー、  １２  平板部、  １３  外周壁、  １４  開口部、  １５  ねじ穴（螺合部）、  １００  トラバースユニット。
【図１】
2011141938.tif 000003
【図２】
2011141938.tif 000004
【図３】
2011141938.tif 000005
【図４】
2011141938.tif 000006
【図５】
2011141938.tif 000007
【図６】
2011141938.tif 000008
【図７】
2011141938.tif 000009
【図８】
2011141938.tif 000010